(57)【特許請求の範囲】
【請求項１】
ディスク状記録媒体と、
互いの周壁が突き合わされた上シェルと下シェルとを有し、内部に上記ディスク状記録媒体が回転可能に収納されると共に、少なくとも下シェルの周壁の一部が開放され、当該開放端から上記ディスク状記録媒体の一部が内外周に亘って外方へと臨む開口部が形成されたカートリッジ本体と、
上記カートリッジ本体の内部で回動可能に支持されると共に、上記カートリッジ本体の開口部に対応した開口部が形成された中シェルと、
上記中シェルが回動することによって、上記カートリッジ本体の開口部を閉塞する位置と上記カートリッジ本体の開口部を開放する位置との間で移動するシャッタ部材と、
上記カートリッジ本体の一コーナー部に形成されたタブ収納部にスライド可能に収納されたタブ部材とを備え、
上記タブ部材は、少なくとも上記タブ収納部を形成する上記上シェルの外周側の周壁と上記上シェルの内周側の周壁との間に保持される本体部と、上記上シェルの内周側の周壁に形成された厚み方向の段差部と係合される係合凸部とを有することを特徴とするディスクカートリッジ。
【請求項２】
上記タブ部材は、スライド方向の両端部に位置するときに、上記上シェルの内周側の周壁に形成された一対の切換凹部と選択的に係合されると共に、当該上シェルの内周側の周壁に対して近接離間する方向に弾性変位可能とされた切換弾性凸部を有することを特徴とする請求項１記載のディスクカートリッジ。
【請求項３】
上記タブ部材は、上記カートリッジ本体の側面部に形成されたタブ開口部から外部に臨むと共に、当該タブ開口部を開放する位置と当該タブ開口部を閉塞する位置との間でスライド操作されるスライド操作凸部を有することを特徴とする請求項１記載のディスクカートリッジ。
【請求項４】
上記タブ部材は、上記スライド操作凸部が上記タブ開口部を閉塞する位置にあるときに、上記本体部と共に上記タブ開口部を閉塞し、上記スライド操作凸部が上記タブ開口部を開放する位置にあるときに、上記上シェルの外周側の周壁と内周側の周壁との間に形成されたガイド凹部と係合されるスライド片部を有することを特徴とする請求項１記載のディスクカートリッジ。
【請求項５】
上記タブ部材は、上記下シェルに形成されたガイド孔にスライド可能に係合されたガイド凸部を有しており、
上記ガイド凸部が上記ガイド孔の一方端部に位置するときには、上記本体部が上記ガイド孔の一方側の一部を閉塞し、上記ガイド凸部が上記ガイド孔の他方端部に位置するときには、上記本体部が上記ガイド孔の他方側の一部を閉塞することを特徴とする請求項１記載のディスクカートリッジ。
【発明の詳細な説明】
【０００１】
【発明の属する技術分野】
本発明は、光ディスクや光磁気ディスク、磁気ディスク等のディスク状記録媒体がカートリッジ本体の内部に回転可能に収納されたディスクカートリッジに関する。
【０００２】
【従来の技術】
従来より、光ディスクや光磁気ディスク、磁気ディスク等のディスク状記録媒体がカートリッジ本体の内部に回転可能に収納されたディスクカートリッジがある。一般に、ディスクカートリッジは、音楽信号や映像信号、プログラム等の情報信号を記録及び／又は再生することが可能であり、このような情報信号を記録することが可能なディスク状記録媒体として、例えば書き込み可能な追記型ディスクや、書き換え可能な書換型ディスクを備えたものが知られている。
【０００３】
例えば図３０に示すディスクカートリッジ１００は、上シェル１０１ａと下シェル１０１ｂとにより構成されるカートリッジ本体１０１の内部に、光ディスク１０２が回転可能に収納されており、上シェル１０１ａ及び下シェル１０１ｂには、それぞれ光ディスク１０２の一部を外部に臨ませる開口部１０３が形成されている。また、このカートリッジ本体１０１には、開口部１０３を開閉するシャッタ部材１０４がスライド可能に取り付けられている。また、光ディスク１０２の中心部には、ディスクドライブ装置のターンテーブル上にチャッキングされるチャッキングプレート１０５が取り付けられている。
【０００４】
このディスクカートリッジ１００では、チャッキングプレート１０５がターンテーブル上にチャッキングされると、このターンテーブルにより光ディスク１０２が所定の速度（例えば、ゾーン毎に角速度一定）で回転駆動される。そして、カートリッジ本体１０１の開口部１０３を通して、ディスクドライブ装置の光ピックアップが光ディスク１０２の径方向に移動操作されることによって、情報信号の記録及び／又は再生が行われる。
【０００５】
【発明が解決しようとする課題】
ところで、上述したディスクカートリッジ１００では、光ディスク１０２の大容量化、高記録密度化が進むに従って、カートリッジ本体１０１の内部に侵入する塵埃等の影響度合が益々大きくなっている。すなわち、カートリッジ本体１０１の内部に塵埃等が侵入した場合には、光ディスク１０２の信号読み取り面に塵埃等が付着することによって、光ピックアップからの光ビームが遮蔽されたり、或いは光ディスク１０２の信号読み取り面が傷付けられることによって、情報信号の記録及び／又は再生が適切に行われなくなってしまう。
【０００６】
しかしながら、上述したディスクカートリッジ１００では、カートリッジ本体１０１の外側に断面略コ字状のシャッタ部材１０４を嵌め込むことによって、シャッタ部材１０４がスライド可能に取り付けられていることから、カートリッジ本体１０１とシャッタ部材１０４との間に隙間が生じやすく、塵埃等の侵入防止が不十分であるといった問題があった。
【０００７】
また、このようなディスクカートリッジ１００では、シャッタ部材１０４がカートリッジ本体１０１から剥き出しの状態で取り付けられていることから、ユーザーが誤ってシャッタ部材１０４をスライドさせて、開口部１０３を開放してしまう虞れがあった。
【０００８】
さらに、このようなディスクカートリッジ１００では、シャッタ部材１０４がカートリッジ本体１０１の端面に沿って直線的にスライドするために、カートリッジ本体１０１に占めるシャッタ部材１０４の割合が大きくなってしまい、カートリッジ本体１０１を小型化することが非常に困難であった。
【０００９】
特に、上述したディスカートリッジ１００では、組立時において、カートリッジ本体１０１の内部に塵埃等が侵入してしまうといった問題があった。
【００１０】
具体的に、上述したディスクカートリッジ１００は、下シェル１０１ｂから順に、チャッキングプレート１０５が取り付けられた光ディスク１０２と、上シェル１０１ａとを重ね合わせた後に、カートリッジ本体１０１の開口部１０３を閉塞するシャッタ部材１０４を取り付けることによって、組み立てられている。このため、上述したディスクカートリッジ１００では、開口部１０３が形成された下シェル１０１ｂを下にして組み立てられることから、この開口部１０３を通して塵埃等が侵入してしまう不都合が生じていた。
【００１１】
そこで、本発明はこのような従来の事情に鑑みて提案されたものであり、カートリッジ本体の内部に塵埃等が侵入するのを防止する、特に、組立時における塵埃等の侵入を防止したディスクカートリッジを提供することを目的とする。
【００１２】
【課題を解決するための手段】
この目的を達成する本発明に係るディスクカートリッジは、ディスク状記録媒体と、互いの周壁が突き合わされた上シェルと下シェルとを有し、内部にディスク状記録媒体が回転可能に収納されると共に、少なくとも下シェルの周壁の一部が開放され、当該開放端からディスク状記録媒体の一部が内外周に亘って外方へと臨む開口部が形成されたカートリッジ本体と、カートリッジ本体の内部で回動可能に支持されると共に、カートリッジ本体の開口部に対応した開口部が形成された中シェルと、中シェルが回動することによって、カートリッジ本体の開口部を閉塞する位置とカートリッジ本体の開口部を開放する位置との間で移動するシャッタ部材と、カートリッジ本体の一コーナー部に形成されたタブ収納部にスライド可能に収納されたタブ部材とを備え、タブ部材は、少なくともタブ収納部を形成する上シェルの外周側の周壁と上シェルの内周側の周壁との間に保持される本体部と、上シェルの内周側の周壁に形成された厚み方向の段差部と係合される係合凸部とを有することを特徴としている。
【００１３】
以上のように、本発明に係るディスクカートリッジでは、タブ部材の少なくとも本体部が上シェルの外周側の周壁と内周側の周壁との間に形成されるタブ収納部に保持されると共に、係合凸部が上シェルの内周側の周壁に形成された厚み方向の段差部と係合されることから、組立時において、タブ部材が上シェル側に安定的に保持される。したがって、このディスクカートリッジは、上シェルから順に、少なくともディスク状記録媒体と、中シェルと、シャッタ部材と、下シェルとを重ね合わせて組み立てるのに好適な構造となっており、開口部が形成された下シェル側から順に重ね合わせて組み立てた場合と比較して、カートリッジ本体内部への塵埃等の侵入を抑制することができる。
【００１４】
【発明の実施の形態】
以下、本発明を適用したディスクカートリッジについて図面を参照して詳細に説明する。
【００１５】
図１乃至図４に示すように、本発明を適用したディスクカートリッジ１は、カートリッジ本体２の内部に、ディスク状記録媒体である光ディスク３と、中シェルであるインナーロータ４と、一対のシャッタ部材５ａ，５ｂとを備えている。
【００１６】
カートリッジ本体２は、互いに組み合わされる一組の上シェル６と下シェル７とを有している。
【００１７】
上シェル６は、図１、図４及び図５に示すように、例えばアクリロニトリル・ブタジエン・スチレン（ＡＢＳ）等の熱可塑性を有する樹脂材料を射出成形することにより形成されている。この上シェル６は、全体略矩形状の主面のうち、後述するディスクドライブ装置７０に挿入される前面側の端縁部が略円弧形状とされている。また、この上シェル６には、カートリッジ本体２の側面部をなす外周壁８が主面の外周縁部に沿って立設されている。
【００１８】
外周壁８には、前面側の中央部に位置して、後述するディスクドライブ装置７０の光ピックアップ７９を進入させるための第１のピックアップ進入用凹部９と、背面側の中央部に位置して、下シェル８との位置決めを行うための位置決め用凹部１０とが、それぞれ所定の幅で切り欠き形成されている。
【００１９】
また、外周壁８の内周側には、ディスク収納部を形成する略円環状の内周壁１１が立設されている。この内周壁１１には、前面側の中央部に位置して、後述するディスクドライブ装置７０の光ピックアップ７９を進入させるための第２のピックアップ進入用凹部１２が所定の幅で切り欠き形成されている。
【００２０】
また、内周壁１１の外周側には、この内周壁１１を囲むようにして略円環状のガイド溝１３が形成されている。このガイド溝１３には、インナーロータ４が回動可能に係合される。また、ガイド溝１３の底面部には、前面側の中央部及び背面側の中央部に位置して、インナーロータ４を上シェル６から離間する方向に移動させるための一対のリフトアップ用凸部１４が突出形成されている。
【００２１】
また、上シェル６には、各コーナー部６ａ，６ｂ，６ｃ，６ｄのうち、ロック収納部を形成する前面側の一方コーナー部６ａを除く、残りのコーナー部６ｂ，６ｃ，６ｄに位置して、塵埃等の侵入を防止するための上側コーナー周壁１５がそれぞれ立設されている。この上側コーナー周壁１５は、外周壁８とガイド溝１３との間で周囲を囲むようにして形成されている。また、この上側コーナー周壁１５と外周壁８との間には、第１の溝部１６が形成されており、この上側コーナー周壁１５とガイド溝１３との間には、第２の溝部１７が形成されている。
【００２２】
また、上シェル６には、前面側の一方コーナー部６ａと対極する背面側の一方コーナー部６ｃに位置して、タブ収納部を形成する上側タブ周壁１８が立設されている。この上側タブ周壁１８は、外周壁８と上側コーナー周壁１５との間で、背面側の一方コーナー部６ｃを外周壁８と共に囲むようにして形成されている。また、この上側タブ周壁１８と上側コーナー周壁１５との間には、第３の溝部１９が形成されている。
【００２３】
また、上シェル６には、各コーナー部６ａ，６ｂ，６ｃ，６ｄ近傍に位置して、略円柱状の位置決めピン２０が突出形成されており、これら位置決めピン２０の中心部には、螺合孔が形成されている。
【００２４】
一方、下シェル７は、図２，図３及び図６に示すように、上述した上シェル６と同様に、例えばアクリロニトリル・ブタジエン・スチレン（ＡＢＳ）等の熱可塑性を有する樹脂材料を射出成形することにより形成されている。この下シェル７は、全体略矩形状の主面のうち、後述するディスクドライブ装置に挿入される前面側の端縁部が略円弧形状とされている。また、この下シェル７には、カートリッジ本体の側面部をなす外周壁２１が主面の外周縁部に沿って立設されている。
【００２５】
また、外周壁２１の先端面には、上述した上シェル６側の位置決め用凹部１０に係合されることによって、上シェル６と下シェル７との位置決めを行う位置決め周壁２２と、上述した上シェル６側の第１の溝部１６に係合されることによって、上シェル６と下シェル７との間から塵埃等が侵入するのを防止する防塵周壁２３とがそれぞれ立設されている。
【００２６】
この下シェル７には、外周壁２１の前面側の中央部が所定の幅で開放されて、この開放端から光ディスク３の一部が内外周に亘って外方へと臨む略矩形状の開口部２４ａと、光ディスク３の中心孔３ａが外部に臨む略円形状の開口部２４ｂとが連続して形成されている。すなわち、この下シェル７には、後述するディスクドライブ装置の光ピックアップをカートリッジ本体２の内部に進入させるのに足る大きさの記録再生用の開口部２４ａと、後述するディスクドライブ装置７０のターンテーブル７８をカートリッジ本体２の内部へと進入させるのに足る大きさの駆動用の開口部２４ｂとが、外周壁２１の前面側の中央部が開放された１つの開口部２４として形成されている。なお、上述した上シェル６の第１及び第２のピックアップ進入用凹部９，１２は、開口部２４と略一致した幅を有している。
【００２７】
また、下シェル７には、各コーナー部７ａ，７ｂ，７ｃ，７ｄのうち、ロック収納部を形成する前面側の一方コーナー部７ａに位置して、後述するロック部材２９を回動可能に支持する支軸２５が突出形成されている。また、この前面側の一方コーナー部７ａを除く、残りの各コーナー部７ｂ，７ｃ，７ｄには、上述した上シェル６の第２の溝部１７に係合される略円弧状の下側コーナー周壁２６が立設されている。さらに、前面側の一方コーナー部７ａと対極する背面側の一方コーナー部７ｃには、上述した上シェル６の第３の溝部１９に係合される下側タブ周壁２７が立設されている。
【００２８】
また、下シェル７には、上述した上シェル６の位置決めピン２０と嵌合される略円筒状の位置決めキャップ２８が突出形成されており、この位置決めキャップ２８の底面部には、貫通孔が穿設されている。
【００２９】
カートリッジ本体２は、上述した上シェル６と下シェル７とが互いの外周壁８，２１を突き合わせた状態で重ね合わされることにより構成される。
【００３０】
このとき、上シェル６側の位置決め用凹部１０と下シェル７側の位置決め周壁２２とが係合される。また、上シェル６側の位置決めピン２０と下シェル７側の位置決めキャップ２８とが嵌合され、この位置決めピン２０の螺合孔に位置決めキャップ２８の貫通孔を通して固定ネジ（図示せず。）が螺合される。また、上シェル６側の第１の溝部１６、第２の溝部１７及び第３の溝部１９には、下シェル７側の防塵周壁２３、下側コーナー周壁２６及び下側タブ周壁２７がそれぞれ係合される。
【００３１】
ここで、図７に示すように、上シェル６側の外周壁８の高さをＨ１とし、下シェル７側の外周壁２１の高さをＨ２とし、このカートリッジ本体２の内部高さをＨ３（Ｈ３＝Ｈ１＋Ｈ２）としたときに、上側コーナー周壁１５及び下側コーナー周壁２６、並びに上側タブ周壁１８及び下側タブ周壁２７は、それぞれ高さＨ３で形成されている。また、防塵周壁２３は、高さＨ１で形成されており、この防塵周壁２３と第１の溝部１６との内周側のクリアランスＣは、０．１ｍｍ以上、０．５ｍｍ以下となっている。これにより、上シェル６と下シェル７との組付性を損なうことなく、塵埃等の侵入を防止することができる。
【００３２】
このように、カートリッジ本体２では、上シェル６と下シェル７との突合せ面Ｓをクランク形状とすることによって、上シェル６側の外周壁８と下シェル７側の外周壁２１との間から塵埃等が侵入することを確実に防止することができる。
【００３３】
また、カートリッジ本体２には、図１乃至図４に示すように、上シェル６と下シェル７とが重ね合わされることによって、中央部に、光ディスク３が回転可能に収納されるディスク収納部と、前面側の一方コーナー部に、ロック部材２９が回動可能に収納されるロック収納部と、背面側の一方コーナー部に、タブ部材３０がスライド可能に収納されるタブ収納部とが形成される。
【００３４】
ロック部材２９は、インナーロータ４がカートリッジ本体２の開口部２４を閉塞する閉塞位置にあるときに、このインナーロータ４の回転を係止するためのものである。
【００３５】
具体的に、このロック部材２９は、下シェル７の支軸２５に回動可能に係合される係合孔３１と、この係合孔３１からカートリッジ本体２の一方側面部に向かって延長された操作片部３２と、この係合孔３１からディスク収納部に向かって延長されたストッパー片部３３と、この係合孔３１からカートリッジ本体２の前面側の内側面に向かって延長されたバネ片部３４を有している。
【００３６】
操作片部３２の先端部には、カートリッジ本体２の一方側面部に形成されたロック用開口部３５ａから外部に臨む操作凸部３２ａが設けられている。また、ストッパー片部３３の先端部には、後述するインナーロータ４のリング部４３と摺接されるストッパー凸部３３ａが設けられている。バネ片部３４は、弾性変位した状態でカートリッジ本体２の前面側の内側面と当接されている。
【００３７】
したがって、このロック部材２９は、バネ片部３４の弾性力により操作片部３２の操作凸部３２ａがロック用開口部３５ａから突出する方向、並びにストッパー片部３３のストッパー凸部３３ａがインナーロータ４のリング部４３に当接される方向に付勢されている。そして、このロック部材２９は、操作片部３２の操作凸部３２ａが押圧されることによって、バネ片部３４の付勢力に抗してストッパー片部３３がインナーロータ４のリング部４３から離間する方向に揺動される。
【００３８】
タブ部材３０は、光ディスク３に記録された情報信号の誤消去等を防止するためのものである。
【００３９】
具体的に、このタブ部材３０は、図２５及び図２６に示すように、上シェル６の背面側の一方コーナー部６ｃに位置して、背面側の外周壁８と上側タブ周壁１８との間に保持される本体部８１と、この本体部８１から上側タブ周壁１８側に向かって突出される係合凸部８２及び切換弾性凸部８３と、この本体部８１から背面側の外周壁８に向かって突出されるスライド操作凸部８４と、この本体部８１から側面側の外周壁８に向かって突出されるスライド凸板部８５と、この本体部８１から下シェル７側に向かって突出されるガイド凸部８６とを有している。
【００４０】
このうち、本体部８１は、タブ収納部のスライド方向の長さに対して略半分の長さ、背面側の外周壁８と上側タブ周壁１８とに摺接される幅、並びに上シェル６と下シェル７とに摺接される高さを有して略四角柱状に形成されている。
【００４１】
係合凸部８２は、本体部８１の下シェル７と摺接される面と連続した面を形成しながら、上側タブ周壁１８側に所定の厚み及び高さを有して突出形成されている。一方、上側タブ周壁１８には、図２５及び図２７に示すように、先端面を厚み方向に切り欠くことによって、タブ部材３０の係合凸部８２と係合される段差部８７が形成されている。また、この段差部８７は、タブ収納部のスライド方向に沿って形成されている。したがって、この係合凸部８２は、段差部８７と摺接しながら、この段差部８７との係合を維持した状態でスライドすることになる。
【００４２】
切換弾性凸部８３は、図２５及び図２６に示すように、本体部８１の上側タブ周壁１８と摺接される面の略中央部から、上側タブ周壁１８に対して近接離間する方向に弾性変位可能な状態で突出形成されている。一方、上側タブ周壁１８のタブ部材３０と摺接される面には、図２５及び図２７に示すように、タブ部材３０がタブ収納部のスライド方向の両端部に位置するときに、それぞれ切換弾性凸部８３と選択的に係合される一対の切換凹部８８が形成されている。
【００４３】
スライド操作凸部８４は、図２５及び図２６に示すように、厚み方向に所定の長さを有して、本体部８１の外周壁８と摺接される面から、スライド凸板部８５とは反対側の端部近傍に位置して、突出形成されている。一方、カートリッジ本体２の背面側の側面部には、このスライド操作凸部８４が外部に臨むタブ開口部（図示せず。）が形成されている。このため、背面側の外周壁８には、図２５及び図２７に示すように、このタブ開口部を形成する上側切欠部８９が形成されている。同様に、下シェル７の背面側の周壁２１にも、タブ開口部を形成する下側切欠部が形成されている。なお、このタブ開口部は、タブ部材３０のスライド量に応じた長さ、すなわち上述した一対の切換凹部８８の間を切換弾性凸部８３が移動するのに足る長さで形成されている。
【００４４】
スライド片部８５は、図２５及び図２６に示すように、本体部８１の背面側の外周壁８と摺接される面と連続した面を形成しながら、側面側の外周壁８に向かって所定の高さ及び厚みを有して突出形成されている。すなわち、このタブ部材３０は、本体部８１から側面側の外周壁８に向かってスライド片部８５が突出形成されることで、本体部８１と共に背面側の外周壁８と摺接される面がタブ開口部を閉塞するに足る長さ及び幅を有して形成されている。一方、背面側の外周壁８と上側タブ周壁８との間には、図２５及び図２７に示すように、タブ部材３０がタブ開口部を開放する側の端部に位置するときに、このスライド片部８５と係合されるガイド凹部９０が形成されている。
【００４５】
ガイド凸部８６は、図２５及び図２６に示すように、略円柱形状を有し、下シェル７と摺接される面の略中央部から所定の高さで突出形成されている。一方、下シェル７には、図３及び図６に示すように、このガイド凸部８６が外部に臨むガイド孔９１が形成されている。このガイド孔９１は、タブ部材３０のスライド量に応じた長さ、すなわち上述した一対の切換凹部８８の間を切換弾性凸部８３が移動するのに足る長さで形成されている。
【００４６】
このタブ部材３０は、スライド操作凸部８４が操作されることによりスライドされて、切換弾性凸部８３が一対の切換凹部８８の何れか一方と選択的に係合されることによって、タブ開口部を開放する位置と閉塞する位置との間でスライドされる。これにより、光ディスク３に対して情報信号を記録することが可能か否かの切り替え等を行うことができる。
【００４７】
具体的に、後述するディスクドライブ装置７０において、光ディスク３に対して記録可能か否かの状態を読み取る方法としては、上述したタブ開口部の開閉状態を読み取る方法がある。また、これとは別に、上述したガイド孔９１内をスライドするガイド凸部８６の位置からも読み取ることが可能である。
【００４８】
すなわち、このディスクカートリッジ１では、上述したガイド孔９１内をスライドするガイド凸部８６の位置が切り替わることによって、このガイド孔９１を閉塞する本体部８１の位置が切り替わる。
【００４９】
この場合、ガイド凸部８６がガイド孔９１の一方端部に位置するときには、本体部８１がガイド孔９１の一方側の略半分を閉塞することによって、ガイド孔９１の他方側の略半分が開放した状態となる。逆に、ガイド凸部８６がガイド孔９１の他方端部に位置するときには、本体部８１がガイド孔９１の他方側の略半分を閉塞することによって、ガイド孔９１の一方側の略半分が開放した状態となる。
【００５０】
したがって、このディスクカートリッジ１では、ガイド孔９１の開放される位置を読み取ることで、光ディスク３に対して記録可能か否かの状態を読み取ることが可能となっている。さらに、このディスクカートリッジ１では、ガイド孔９１の開放される位置や、タブ開口部の開閉状態とを組み合わせることによって、これとは別の新たな情報を付加することも可能である。
【００５１】
また、このタブ部材３０は、少なくとも本体部８１が背面側の外周壁８と上側タブ周壁１８との間に保持されると共に、係合凸部８２が上側タブ周壁１８に形成された厚み方向の段差部８７と摺接可能に係合されることから、タブ収納部の内部で安定的にスライド動作することが可能となっている。
【００５２】
また、このタブ部材３０は、スライド操作凸部８４をスライド操作させることによって、このスライド操作凸部８４とは反対側に位置する切換弾性凸部８３が上側タブ周壁１８側に常に押圧された状態となることから、この切換弾性凸部８３を一対の切換凹部８８に適切に係合させることが可能となっている。
【００５３】
さらに、このタブ部材３０は、スライド片部８５がガイド凹部９０と係合されることによって、スライド方向に安定的に保持されると共に、上述した係合凸部８２が段差部８７と下シェル７との間に保持されることから、タブ収納部内において安定したスライド動作が可能となっている。
【００５４】
カートリッジ本体２の一方側面部には、ディスクカートリッジ１を後述するディスクドライブ装置７０に装着する際の誤挿入防止を目的とした案内溝３６が前後方向に亘って形成されている。また、この案内溝３６の底面部には、前面側から順に、上述したロック部材２９の操作凸部３２ａが外部に臨むロック用開口部３５ａと、インナーロータ４の外周部の一部が外部に臨むロータ用開口部３５ｂとが形成されている。
【００５５】
また、カートリッジ本体２の上面には、内部に収納された光ディスク３を視認することが可能な透過窓３７が設けられている。また、このカートリッジ本体２の下面には、後述するディスクドライブ装置７０に装着した際の位置決めを行う複数の位置決め用凹部３８が設けられている。さらに、カートリッジ本体２の両側面部には、ディスクカートリッジ１を後述するディスクドライブ装置に装着した際の位置決めや、ディスクカートリッジの種類の判別等を行う複数の切欠部３９が設けられている。
【００５６】
光ディスク３は、図２及び図４に示すように、中心部に中心孔３ａが穿設された略円盤形状を有しており、上述したカートリッジ本体２の内部に回転可能に収納されている。また、この光ディスク３の中心部は、後述するディスクドライブ装置７０のターンテーブル７８上にチャッキングされたときに、チャッキングプレート４０によって押圧される。
【００５７】
このチャッキングプレート４０は、マグネットにより吸着される金属材料が全体略円盤状に形成されてなり、その中央部分が膨出されることによって、光ディスク３の中心部を押圧するディスク押圧部４０ａが形成されている。
【００５８】
一方、上シェル６の中央部には、このチャックプレート４０を回転可能に収納するためのプレート収納凹部４１が形成されている。また、このプレート収納凹部４１には、チャッキングプレート４０を内部に保持するためのプレート押え４２が嵌合した状態で取り付けられる。このプレート押え４２には、中心部にチャッキングプレート４０のディスク押圧部４０ａが嵌合される嵌合孔４２ａと、この嵌合孔４２ａの周囲を囲むようにしてチャッキングプレート４０の外周部と係合される係合凹部４２ｂとが形成されている。
【００５９】
したがって、チャッキングプレート４０は、図８に示すように、プレート押え４２の嵌合孔４２ａからディスク押圧部４０ａが突出され、プレート収納凹部４１及びプレート押え４２により形成される内部空間に回転可能に収納されている。
【００６０】
なお、上記光ディスク３としては、オーディオ情報としての音楽信号やビデオ情報としての映像信号及び音楽信号等の各種の情報信号が予め記録された再生専用の光ディスクや、これらの情報信号を１度だけ書き込むことが可能な追記型の光ディスク、これらの情報を繰り返し書き換えることが可能な書換型の光ディスク等のディスク状記録媒体を挙げることができる。また、ディスク状記録媒体としては、上述した光ディスク３の他に、光磁気ディスクや磁気ディスク等を挙げることができる。
【００６１】
インナーロータ４は、図２及び図４に示すように、例えばポリオキシメチレン（ＰＯＭ）等の熱可塑性を有する樹脂材料を射出成形することにより形成されている。このインナーロータ４は、略円盤状に形成されており、その外周縁部には、上述した上シェル６のガイド溝１３に係合される略円環状のリング部４３が立設されている。そして、このインナーロータ４は、上シェル６のガイド溝１３にリング部４３が係合されることによって、カートリッジ本体２に対して回動可能に支持されている。
【００６２】
また、インナーロータ４には、上シェル６のガイド溝１３に係合される連結部４３ａを有してリング部４３の一部が開放され、この連結部４３ａにより連結された開放端からカートリッジ本体２の開口部２４と略一致した形状を有する開口部４４が形成されている。換言すると、リング部４３の開口部４４の間は、連結部４３ａにより連結されている。
【００６３】
また、リング部４３の外周面には、インナーロータ４を回動させるためのギヤ部４５が形成されている。このギヤ部４５は、図９に示すインナーロータ４が閉塞位置にあるときに、上述したロータ用開口部３５ｂの前面側から外部に臨む位置と、図１０に示すインナーロータ４が開放位置にあるときに、上述したロータ用開口部３５ｂの背面側から外部に臨む位置との間の領域に亘って形成されている。
【００６４】
また、リング部４３の外周面には、インナーロータ４の回動量を規制するための一対のストッパー凸部４６ａ，４６ｂが互いに所定の間隔を有して突出形成されている。一方、上シェル６には、ガイド溝１３と上側コーナー周壁１５との間に位置して、一対のストッパー凸部４６ａ，４６ｂと当接される一対のストッパー受部４７ａ，４７ｂが形成されている。そして、図１０に示すように、インナーロータ４が一の方向（紙面時計回り）に回転することによって、一方のストッパー凸部４６ａが一方のストッパー受部４７ａと当接し、インナーロータ４の更なる回転が阻止される。このとき、インナーロータ４は、開放位置にあり、インナーロータ４の開口部４４とカートリッジ本体２の開口部２４とが略一致した状態となる。一方、図９に示すように、インナーロータ４が他の方向（紙面反時計回り）に回転することによって、他のストッパー凸部４６ｂが他のストッパー受部４７ｂと当接し、インナーロータ４の更なる回転が阻止される。このとき、インナーロータ４は、閉塞位置にあり、インナーロータ４の開口部４４がカートリッジ本体２の開口部２４に対して最も傾けられた状態となる。
【００６５】
また、リング部４３の先端面には、図９及び図１０に示すように、上述したガイド溝１３の一対のリフトアップ用凸部１４と摺接される一対のリフトアップ用凸部４８が突出形成されている。そして、インナーロータ４が閉塞位置の直近に位置するときには、このリフトアップ用凸部４８がガイド溝１３のリフトアップ用凸部１４と摺接しながら乗り上げることによって、インナーロータ４が上シェル６から離間する方向に持ち上げられる。
【００６６】
また、インナーロータ４には、図４に示すように、リング部４３が突出する側とは反対側の主面に位置して、一対のシャッタ部材５ａ，５ｂをそれぞれ回動可能に支持する一対の支軸４９ａ，４９ｂが突出形成されている。この一対の支軸は、インナーロータの中心部に対して点対称な位置、すなわち互いに１８０゜の位相差を有して配置されている。
【００６７】
一方、一対のシャッタ部材５ａ，５ｂは、図１１及び図１２に示すように、互いに点対称な形状を有しており、インナーロータ４の一対の支軸４９ａ，４９ｂを中心に、１８０゜を位相差を有して回動可能に取り付けられている。なお、一対のシャッタ部材５ａ，５ｂにおける同等な部位については、シャッタ部材５としてまとめて説明すると共に、図面において同じ符号を付すものとする。
【００６８】
このシャッタ部材５は、上述したインナーロータ４と同様に、例えばポリオキシメチレン（ＰＯＭ）等の熱可塑性を有する樹脂材料を射出成形することにより形成されている。
【００６９】
このシャッタ部材５は、略半円平板状に形成されており、基端部には、上述したインナーロータ４の支軸４９ａ，４９ｂに回動可能に係合される係合孔５０ａ，５０ｂが形成されている。
【００７０】
また、一対のシャッタ部材５の突合せ面となる弦線部分には、中央部から基端部に向かって第１の当接面部５１と、中心部から先端部に向かって第２の当接面部５２とが形成されている。このうち、第１の当接面部５１は、下シェル７側が傾斜面とされており、第２の当接面部５２は、上シェル６側が傾斜面とされている。そして、一対のシャッタ部材５ａ，５ｂは、図１３及び図１４に示すように、インナーロータ４の支軸４９ａ，４９ｂを中心として、互いに近接離間する方向に回動されることによって、一方のシャッタ部材５ａの第１の当接面部５１と他方のシャッタ部材５ｂの第２の当接面部５２とが係合されると共に、他方のシャッタ部材５ｂの第１の当接面部５１と一方のシャッタ部材５ａの第２の当接面部５２とが係合される。
【００７１】
また、シャッタ部材５には、図６に示す下シェル７の内面に突出形成された一対のガイドピン５３とそれぞれ係合される長孔５４が形成されている。この長孔５４は、シャッタ部材５が閉塞位置と開放位置との間で回動されるように、弧線部分の中途部から係合孔５０ａ，５０ｂに向かって所定の長さで形成されている。また、長孔５４の外周側の端部には、シャッタ部材５が閉塞位置にあるときに、下シェル７のガイドピン５３が係合される係合部５５と、この係合部５５に係合されたガイドピン５３を押圧する弾性片部５６とが形成されている。
【００７２】
ところで、このディスクカートリッジ１には、カートリッジ本体２の開口部２４と一対のシャッタ部材５ａ，５ｂとの間から塵埃等が侵入するのを防止するための塵埃侵入阻止部が設けられている。
【００７３】
具体的に、この塵埃侵入阻止部は、図６に示す下シェル７側に開口部２４の周囲を囲むリブ状凸部５７と、図１２に示すシャッタ部材５側にリブ状凸部５７と係合される溝状凹部５８とを有している。
【００７４】
リブ状凸部５７は、下シェル７の内面にて開口部２４を囲むようにして略平面Ｈ字状に突出形成されている。また、リブ状凸部５７は、前面側及び背面側の外周壁２１とそれぞれ接続される部分が高く形成された４つの背高部５７ａ，５７ｂ，５７ｃ，５７ｄを有している。なお、リブ状凸部５７は、例えば０．５ｍｍ程度の高さで形成されており、４つの背高部５７ａ，５７ｂ，５７ｃ，５７ｄは、その高さよりも数倍程度高く形成されている。
【００７５】
一方、溝状凹部５８は、シャッタ部材５の下シェル７側の主面にてリブ状凸部５７に対応した形状及び深さを有して形成されている。この溝状凹部５８には、シャッタ部材５が閉塞位置にあるときに、リブ状凸部５７が嵌合される。
【００７６】
また、インナーロータ４には、図４，図９及び図１０に示すように、一対の支軸４９ａ，４９ｂの近傍に位置して、略台形状の解除用凸部５９が突出形成されている。この解除用凸部５９は、リブ状凸部５７と略同等の高さで形成されており、シャッタ部材５が閉塞位置から開放位置へと移動する際に、このリブ状凸部５７と溝状凹部５８との嵌合を解除する。
【００７７】
ここで、互いに係合されるリブ状凸部５７及び溝状凹部５８の幅方向の端部は、図１５に示すように、傾斜面とされており、シャッタ部材５が閉塞位置から開放位置へと移動する際に、リブ状凸部５７が溝状凹部５８から抜け出しやすくなっている。
【００７８】
また、シャッタ部材５には、図１１及び図１２に示すように、この一対のシャッタ部材５ａ，５ｂが閉塞位置にあるときに、リブ状凸部５７のうち、背高部５７ａ，５７ｃとそれぞれ当接される第１の閉塞片部６０ａと、背高部５７ｂ，５７ｄとそれぞれ当接される第２の閉塞片部６０ｂとが突出形成されている。さらに、シャッタ部材５には、第２の当接面部５２の先端部側に位置して、リブ状凸部５７の背高部５７ｂ及び背高部５７ｄを導入するための切欠部６１が形成されている。また、シャッタ部材５には、図１３乃至図１５に示すように、下シェル７側の主面にラビリンス状の凹凸パターン６２が形成されている。
【００７９】
この塵埃侵入阻止部では、シャッタ部材５側の溝状凹部５８に、下シェル７側のリブ状凸部５７が嵌合されることによって、カートリッジ本体２の開口部２４と一対のシャッタ部材５ａ，５ｂとの間から塵埃等が侵入するのを確実に防止することができる。
【００８０】
以上のように構成されるディスクカートリッジ１の組立方法について説明する。
【００８１】
このディスクカートリッジ１を組み立てる際は、先ず、上シェル６の内面側を上方に向けた状態で配置する。そして、この上シェル６のプレート収納凹部４１に、ディスク押圧部４０ａを上方に向けた状態でチャッキングプレート４０を収納した後、嵌合孔４２ａからディスク押圧部４０ａを嵌合させた状態でプレート押え４２を接着剤等によりプレート収納部４１に取り付ける。これにより、チャッキングプレート４０は、プレート押え４２の嵌合孔４２ａからディスク押圧部４０ａが突出されると共に、プレート収納凹部４１及びプレート押え４２により形成される内部空間に回転可能に収納される。
【００８２】
次に、この上シェル６のディスク収納部を形成する内周壁１１の内側に光ディスク３を収納する。
【００８３】
次に、この光ディスク３を覆うように、インナーロータ４のリング部４３を上シェル６のガイド溝１３に係合させる。これにより、光ディスク３は、上シェル６とインナーロータ４との間に形成されたディスク収納部に回転可能に収納される。また、インナーロータ４の開口部４４と上シェル６の第１及び第２のピックアップ進入用凹部９，１２とが一致するように、上シェル６に対するインナーロータ４の位置合わせを予め行っておく。
【００８４】
次に、このインナーロータ４に一対のシャッタ部材５ａ，５ｂを取り付ける。具体的には、一対のシャッタ部材５ａ，５ｂの突合せ面を互いに対向させた状態で、係合孔５０ａ，５０ｂをインナーロータ４の支軸４９ａ，４９ｂに係合させる。これにより、一対のシャッタ部材５ａ，５ｂがインナーロータ４の支軸４９ａ，４９ｂを中心に回動可能に取り付けられる。また、インナーロータ４の開口部４４の端縁部に一対のシャッタ部材５ａ，５ｂの突合せ面が沿うように、インナーロータ４に対する一対のシャッタ部材５ａ，５ｂの位置合わせを予め行っておく。さらに、これと同時或いは前後して、ロック収納部の支軸２５にロック部材２９を取り付けると共に、タブ収納部の内部にタブ部材３０を収納しておく。
【００８５】
ここで、タブ部材３０は、上シェル６側のタブ収納部に収納されることになる。具体的に、このタブ部材３０は、図２８及び図２９に示すように、上シェル６の背面側の外周壁８と上側タブ周壁１８との間に本体部８１が保持されると共に、係合凸部８２が上側タブ周壁１８に形成された厚み方向の段差部８７と係合されることから、組立時において、タブ部材３０が上シェル６側に安定的に保持される。
【００８６】
次に、この上シェル６に下シェル７を重ね合わせる。このとき、上シェル６と下シェル７とが互いの外周壁８，２１を突き合わせた状態で、上シェル６側の位置決め用凹部１０と下シェル７側の位置決め周壁２２とが係合される。また、上シェル６側の位置決めピン２０と下シェル７側の位置決めキャップ２８とが嵌合される。また、上シェル６側の第１の溝部１６、第２の溝部１７及び第３の溝部１９には、下シェル７側の防塵周壁２３、下側コーナー周壁２６及び下側タブ周壁２７がそれぞれ係合される。
【００８７】
また、シャッタ部材５の長孔５４には、下シェル７側のガイドピン５３が係合される。この場合、上述したインナーロータ４に対する一対のシャッタ部材５ａ，５ｂの位置合わせを予め行っておくことによって、下シェル７と一対のシャッタ部材５ａ，５ｂとの位置合わせを容易に行うことができる。そして、位置決めピン２０の螺合孔に位置決めキャップ２８の貫通孔を通して固定ネジ（図示せず。）を螺合する。これにより、上シェル６に下シェル７が固定され、カートリッジ本体２が構成される。このとき、インナーロータ４及び一対のシャッタ部材５ａ，５ｂは、開放位置にあり、カートリッジ本体２の開口部２４から光ディスク３の一部が外部に臨む状態となっている。
【００８８】
次に、この状態からギヤ部４５を操作して、インナーロータ４を他の方向に回転させることによって、一対のシャッタ部材５ａ，５ｂがカートリッジ本体２の開口部２４を閉塞した状態とする。以上により、ディスクカートリッジ１が組み立て作業が完了する。
【００８９】
このように、本発明を適用したディスクカートリッジ１では、使用される構成部品の数が少なく、しかも極めて簡単に組立作業を行うことができる。
【００９０】
また、このディスクカートリッジ１は、上シェル６から順に、光ディスク３と、インナーロータ４と、一対のシャッタ部材５ａ，５ｂと、下シェル７とを重ね合わせて組み立てるのに好適な構造となっている。具体的に、このカートリッジ１では、組立時において、従来、下シェル７側に収納されていたタブ部材３０を上シェル６側のタブ収納部に安定的に収納することが可能である。
【００９１】
したがって、このディスクカートリッジ１では、上シェル７側から順に重ね合わせて組み立てるのに好適な構造となっていることから、開口部２４が形成された下シェル７側から順に重ね合わせて組み立てた場合と比較して、カートリッジ本体２内部への塵埃等の侵入を大幅に抑制することが可能である。
【００９２】
また、このディスクカートリッジ１では、上シェル６と下シェル７とを重ね合わさせた際に、反りや隙間等が生じにくく、ロック収納部に収納されたタブ部材３０を適切にスライドさせることが可能である。
【００９３】
さらに、このディスクカートリッジ１では、上述した上シェル６側の第１の溝部１６、第２の溝部１７及び第３の溝部１９に、下シェル７側の防塵周壁２３、下側コーナー周壁２６及び下側タブ周壁２７がそれぞれ係合されることによって、タブ収納部が強固に形成されている。したがって、ロック部材３０は、外部からの影響を受けにくく、切換弾性凸部８３と一対の切換凹部８８とを適切に係合させることが可能なことから、安定したクリック感やロック力を得ることが可能である。
【００９４】
なお、上シェル６に対する下シェル７の固定方法としては、上述した固定ネジ等の固着手段に限らず、接着剤等を用いて上シェル６と下シェル７とを接合一体化することも可能である。
【００９５】
以上のように構成されるディスクカートリッジ１では、図１６に示すようなディスクドライブ装置７０を用いて、光ディスク３に対する情報信号の記録及び／又は再生が行われる。
【００９６】
このディスクドライブ装置７０は、中空の筐体からなる外装ケース７１と、この外装ケース１７の内部に収納された本体部（図示せず。）とを備えており、この外装ケース７１は、上面及び前面に開口されたケース本体７２と、このケース本体７２の上面を閉じるように上部に着脱可能に取り付けられたケース蓋体７３と、ケース本体７２及びケース蓋体７２の前面を閉じるように前面部に着脱可能に取り付けられた前面パネル７４等を有している。
【００９７】
また、ケース本体の４箇所には、下方に突出する脚体７２ａが設けられており、これらの脚体７２ａによってディスクドライブ装置７０が支持されている。前面パネル７４は、横長とされた平板部材からなり、その上部には、横長のカートリッジ挿脱口７５が設けられている。このカートリッジ挿脱口７５は、ディスクカートリッジ１の正面側の大きさと略同程度の大きさに形成されている。また、このカートリッジ挿脱口７５は、その内側に配置された開閉扉７６によって閉塞された状態となっている。
【００９８】
このディスクドライブ装置７０にディスクカートリッジ１を挿入する際は、開閉扉をディスクカートリッジ１の前面部で押圧しながら、所定の位置まで差し込むことよって、図示しないローディング機構によりディスクカートリッジ１が自動的に取り込まれる。そして、このディスクカートリッジ１は、図示しないディスクドライブ装置７０内のシャーシ上に突設された複数の位置決めピンに、複数の位置決め用凹部３８が嵌合された状態で、シャーシ上に載置される。
【００９９】
これと同時又は前後して、ディスクドライブ装置７０の内部に設けられた図示しないシャッタ開閉機構によって、インナーロータ４が一の方向に回転し、一対のシャッタ部材５ａ，５ｂがカートリッジ本体２の開口部２４を開放する。
【０１００】
具体的に、ディスクカートリッジ１がディスク挿脱口７５から所定の位置まで挿入されると、先ず、図１７に示すように、シャッタ開閉機構のラック棒７７がカートリッジ本体２の一方側面部に設けられた案内溝３６に案内されて、ロック用開口部３５ａから突出するロック部材２９の操作凸部３２ａを押圧する。これにより、インナーロータ４に対するロック部材２９のロック状態が解除される。そして、ラック棒７７が更に進入することによって、ロータ用開口部３５ｂの内部へと挿入され、このラック棒７７に設けられたギヤ部７７ａとインナーロータ４のギヤ部４５とが噛合される。
【０１０１】
このとき、インナーロータ４の開口部４４は、カートリッジ本体２の開口部２４に対して最も傾けられた状態にあるため、互いの開口部２４，４４が重なり合った重複部分が開放されるが、この重複部分は一対のシャッタ部材５ａ，５ｂにより閉塞されている。
【０１０２】
次に、図１８に示すように、ディスクカートリッジの挿入動作に応じて、ラック棒７７進入すると、ラック棒７７のギヤ部７７ａとインナーロータ４のギヤ部４５との噛合により、インナーロータ４が一の方向に回転される。
【０１０３】
ところで、インナーロータ４が回転動作を開始する初期状態では、図１８に示すように、インナーロータ４側のリフトアップ用凸部４８がガイド溝１３側のリフトアップ用凸部１４に乗り上げて、インナーロータ４と下シェル７との間でシャッタ部材５が挟持された状態となる。このため、インナーロータ４の回転動作には、比較的大きな力が必要とされる。
【０１０４】
そして、図１９に示すように、これらリフトアップ用凸部１４，４８の相互の乗り上げによる摩擦力に抗して、インナーロータ４を一の方向に回転させる。これにより、これらリフトアップ用凸部１４，４８の相互の係合が解除されて、摩擦力が低減することにより、インナーロータ４をスムーズ且つ弱い力で回転させることができる。
【０１０５】
また、このインナーロータ４が一の方向に回転することによって、解除用凸部５９がリブ状凸部５７の背高部５７ａ，５７ｃに乗り上げて、下シェル７に対してインナーロータ４が持ち上げられた状態となる。これにより、シャッタ部材５が上シェル６側に上昇し、リブ状凸部５７と溝状凹部５８との係合状態が解除される。
【０１０６】
このとき、一対のシャッタ部材５ａ，５ｂの係合孔５０ａ，５０ｂは、それぞれ支軸４９ａ，４９ｂと係合されていることから、インナーロータ４と同様に一の方向に回転される。一方、一対のシャッタ部材５ａ，５ｂの長孔５４には、下シェル７側のガイドピン５３が摺動可能に係合されていることから、このインナーロータ４の回転に伴って、ガイドピン５３が長孔５４の内部を内周側の端部に向かって相対的に移動する。
【０１０７】
したがって、一対のシャッタ部材５ａ，５ｂは、図２０に示す少し開いた状態から、図２１，図２２及び図２３に示す状態を経て、徐々にインナーロータ４の開口部４４を開放する位置まで移動する。そして、図２４に示すように、インナーロータ４の開口部４４とカートリッジ本体２の開口部２４とが略一致した状態までインナーロータが回転すると、カートリッジ本体２の開口部２４が完全に開放された状態となる。
【０１０８】
これにより、ディスクドライブ装置７０では、図８に示すように、ディスクカートリッジ１の内部に、光ディスク３を回転駆動するターンテーブル７８及び光ディスク３に対して情報信号の記録及び／又は再生を行う光ピックアップ７９の進入が可能となる。
【０１０９】
具体的に、このディスクドライブ装置７０では、ターンテーブル７８がディスクカートリッジ１側に移動する、或いはディスクカートリッジ１がターンテーブル７８側に移動することによって、光ディスク３の中心孔３ａを通して、ターンテーブル７８のチャッキングマグネット７８ａがチャッキングプレート４０に吸着され、光ディスク３の中心部がターンテーブル７８とチャッキングプレート４０との間で挟み込まれた状態なる。これにより、光ディスク３は、ターンテーブル７８上にチャッキングされた状態となり、スピンドルモータ８０の駆動力により回転駆動される。また、この光ディスク３は、ターンテーブル７８上にチャッキングされることによって、カートリッジ本体２の内部における高さ位置が設定される。
【０１１０】
一方、光ピックアップ７９は、光ディスク３の径方向に移動操作されることによって、この光ピックアップ７９の少なくとも一部がディスクカートリッジ１の外周部よりも外側から、開口部２４，４４を通して、ディスクカートリッジ１の内部へと進入される。また、この光ピックアップ７９は、ディスクカートリッジ１の内部で光ディスク３の下表面である信号読み取り面Ｒと所定の間隔をもって対面される。
【０１１１】
そして、ディスクドライブ装置７０では、ターンテーブル７８に装着された光ディスク３がスピンドルモータ８０により回転駆動されると、光ピックアップ７９が光ディスク３の径方向に移動しながらレーザー光を照射し、この光ディスク３に対して情報信号の記録及び／又は再生を行う。
【０１１２】
一方、このディスクドライブ装置７０からディスクカートリッジ１を排出する際は、例えば前面パネル７４に設けられた排出ボタン（図示せず。）を操作する。これにより、ローディング機構が排出動作を行い、ディスクカートリッジ１がカートリッジ挿脱口７５側に移動されて、上述したラック棒７７が相対的に後退することになる。そして、このラック棒７７が後退することによって、インナーロータ４及び一対のシャッタ部材５ａ，５ｂが上述したディスク挿入時とは逆の動作、すなわちインナーロータ４が他の方向に回転し、一対のシャッタ部材５ａ，５ｂがカートリッジ本体２の開口部２４を閉塞する。
【０１１３】
具体的に、一対のシャッタ部材５ａ，５ｂは、先ず、図２４に示す完全に開いた状態から、図２３乃至図２０に示す状態を経て、徐々にインナーロータ４の開口部４４を閉塞する位置まで移動する。このとき、インナーロータ４側のリフトアップ用凸部４８は、下シェル７側のリフトアップ用凸部１４とは係合されておらず、スムーズ且つ弱い力で回転させることができる。
【０１１４】
次に、図１７に示すように、インナーロータ４の開口部４４がカートリッジ本体２の開口部２４に対して最も傾けられた状態までインナーロータ４が回転すると、カートリッジ本体２の開口部２４が完全に閉塞された状態となる。
【０１１５】
このとき、インナーロータ４側のリフトアップ用凸部４８は、下シェル７側のリフトアップ用凸部１４に乗り上げるため、以後のインナーロータ４の回転動作には、上述した摩擦力により比較的大きな力が必要となる。
【０１１６】
また、このインナーロータ４の回転に伴って、ガイドピン５３が長孔５４の内部を外周側の端部に向かって相対的に移動する。そして、ガイドピン５３が弾性片部５６に接触し、この弾性片部５６を押圧することによって、弾性片部５６に弾性力が発生する。一対のシャッタ部材５ａ，５ｂは、この弾性力により互いの突合せ面が圧接された状態となり、密閉性が向上する。
【０１１７】
また、このディスクカートリッジ１では、一方のシャッタ部材５ａの第１の当接面部５１と他方のシャッタ部材５ｂの第２の当接面部５２とが係合されると共に、他方のシャッタ部材５ｂの第１の当接面部５１と一方のシャッタ部材５ａの第２の当接面部５２とが係合される。
【０１１８】
この場合、一対のシャッタ部材５ａ，５ｂの突合せ面に適度に重ね合わされることから、いわゆるラビリンス効果を生じさせて、一対のシャッタ部材５ａ，５ｂの間から塵埃等が侵入するのを防止した構造となっている。さらには、一対のシャッタ部材５ａ，５ｂの変形を防止した構造となっている。
【０１１９】
次に、ラック棒７７が更に後退することによって、このラック棒７７のギヤ部７７ａとインナーロータ４のギヤ部４５との噛合が解除された後に、ロック用開口部３５ａからロック部材２９の操作凸部３２ａが突出することによって、インナーロータ４のギヤ部４５にストッパー片部３３のストッパー凸部３３ａが係合される。これにより、ディスクカートリッジ１では、インナーロータ４の回動が係止されて、いわゆるロック状態となるから、シャッタ部材５による開口部２４，４４の閉塞状態を確実に保持することができ、ユーザー等により誤ってシャッタ部材５が開放動作されるのを確実に防止することができる。
【０１２０】
また、このディスクカートリッジ１では、インナーロータ４側のリフトアップ用凸部４８が、下シェル７側のリフトアップ用凸部１４に乗り上げた状態となることから、シャッタ部材５の自重及びインナーロータ４と下シェル７との間に生じる摩擦力等によって、開口部２４，４４が完全に閉塞された状態に維持される。
【０１２１】
次に、このディスクドライブ装置７０では、開閉扉７６がカートリッジ挿脱口７５を開放させて、この開放されたカートリッジ挿脱口７５からローディング機構によりディスクカートリッジ１が自動的に排出されることになる。
【０１２２】
【発明の効果】
以上詳細に説明したように、本発明に係るディスクカートリッジによれば、カートリッジ本体の内部に塵埃等が侵入するのを確実に防止することが可能であり、特に、上シェルから順に、少なくともディスク状記録媒体と、中シェルと、シャッタ部材と、下シェルとを重ね合わせて組み立てるのに好適な構造となっていることから、開口部が形成された下シェル側から順に重ね合わせて組み立てた場合と比較して、カートリッジ本体内部への塵埃等の侵入を抑制することが可能である。また、このディスクカートリッジによれば、タブ収納部に収納されたタブ部材を適切且つ安定的にスライド操作することが可能である。
【図面の簡単な説明】
【図１】本発明を適用したディスクカートリッジを上シェル側から見た斜視図である。
【図２】上記ディスクカートリッジを上シェル側から見た分解斜視図である。
【図３】上記ディスクカートリッジを下シェル側から見た斜視図である。
【図４】上記ディスクカートリッジを下シェル側から見た分解斜視図である。
【図５】上記ディスクカートリッジを構成する上シェルの内面側の平面図である。
【図６】上記ディスクカートリッジを構成する下シェルの内面側の平面図である。
【図７】上記ディスクカートリッジを構成する上シェルと下シェル７との突合せ部分を拡大して示す要部断面図である。
【図８】図１中線分Ａ−Ａ’による断面図である。
【図９】上記ディスクカートリッジにおいて、カートリッジ本体に対するインナーロータの開放位置を示す透視平面図である。
【図１０】上記ディスクカートリッジにおいて、カートリッジ本体に対するインナーロータの閉塞位置を示す透視平面図である。
【図１１】上記ディスクカートリッジを構成するシャッタ部材を上シェル側から見た斜視図である。
【図１２】上記ディスクカートリッジを構成するシャッタ部材を下シェル側から見た斜視図である。
【図１３】上記ディスクカートリッジにおいて、インナーロータに対するシャッタ部材の開放位置を示す斜視図である。
【図１４】上記ディスクカートリッジにおいて、インナーロータに対するシャッタ部材の閉塞位置を示す斜視図である。
【図１５】上記ディスクカートリッジを構成するインナーロータとシャッタ部材との係合部分を拡大して示す要部断面図である。
【図１６】上記ディスクカートリッジに用いられるディスクドライブ装置の外観斜視図である。
【図１７】上記ディスクカートリッジの開閉動作を説明するための図であり、開口部が完全に閉塞された状態を示す透視平面図である。
【図１８】上記ディスクカートリッジの開閉動作を説明するための図であり、インナーロータ側のリフトアップ用凸部が上シェル側のリフトアップ用凸部に乗り上げた状態を示す要部断面図である。
【図１９】上記ディスクカートリッジの開閉動作を説明するための図であり、インナーロータ側のリフトアップ用凸部と上シェル側のリフトアップ用凸部との係合状態が解除された状態を示す要部断面図である。
【図２０】上記ディスクカートリッジの開閉動作を説明するための図であり、開口部が少し開放された状態を示す透視平面図である。
【図２１】上記ディスクカートリッジの開閉動作を説明するための図であり、開口部が更に少し開放された状態を示す透視平面図である。
【図２２】上記ディスクカートリッジの開閉動作を説明するための図であり、開口部が更に少し開放された状態を示す透視平面図である。
【図２３】上記ディスクカートリッジの開閉動作を説明するための図であり、開口部が更に少し開放された状態を示す透視平面図である。
【図２４】上記ディスクカートリッジの開閉動作を説明するための図であり、開口部が完全に開放された状態を示す透視平面図である。
【図２５】上記ディスクカートリッジを構成するタブ部材と上シェル側のタブ収納部とを示す要部斜視図である。
【図２６】図２５中矢印Ｂ方向から見た矢視図である。
【図２７】図２５中線分Ｃ−Ｃ’による断面図である。
【図２８】上記ディスクカートリッジを構成するタブ部材と上シェル側のタブ収納部との係合状態を示す要部斜視図である。
【図２９】上記ディスクカートリッジを構成するタブ部材と上シェル側のタブ収納部との係合状態を示す要部断面図である。
【図３０】従来のディスクカートリッジの一構成例を示す斜視図である。
【符号の説明】
１  ディスクカートリッジ  ２  カートリッジ本体、３  光ディスク、４  インナーロータ、５  シャッタ部材、６  上シェル、７  下シェル、８  上シェルの外周壁、２１  下シェルの外周壁、２４  カートリッジ本体の開口部、２９  ロック部材、３０  タブ部材、４０  チャッキングプレート、４２  プレート押え、４４  インナーロータの開口部、８１  本体部、８２  係合凸部、８３  切換弾性凸部、８４  スライド操作凸部、８５  スライド片部、８６  ガイド凸部、８７  段差部、８８  切換凹部、８９  上側切欠部、９０  ガイド凹部、９１ガイド孔
【図１】
0004042374.tif 000002
【図２】
0004042374.tif 000003
【図３】
0004042374.tif 000004
【図４】
0004042374.tif 000005
【図５】
0004042374.tif 000006
【図６】
0004042374.tif 000007
【図７】
0004042374.tif 000008
【図８】
0004042374.tif 000009
【図９】
0004042374.tif 000010
【図１０】
0004042374.tif 000011
【図１１】
0004042374.tif 000012
【図１２】
0004042374.tif 000013
【図１３】
0004042374.tif 000014
【図１４】
0004042374.tif 000015
【図１５】
0004042374.tif 000016
【図１６】
0004042374.tif 000017
【図１７】
0004042374.tif 000018
【図１８】
0004042374.tif 000019
【図１９】
0004042374.tif 000020
【図２０】
0004042374.tif 000021
【図２１】
0004042374.tif 000022
【図２２】
0004042374.tif 000023
【図２３】
0004042374.tif 000024
【図２４】
0004042374.tif 000025
【図２５】
0004042374.tif 000026
【図２６】
0004042374.tif 000027
【図２７】
0004042374.tif 000028
【図２８】
0004042374.tif 000029
【図２９】
0004042374.tif 000030
【図３０】
0004042374.tif 000031